(57)【要約】【課題】端子金具の取り外し作業を簡単にする。【解決手段】ランス機構４０によって保持される上側端子４１と、上側端子４１よりも開口部側に位置する上側および下側ガイド突起２４，２６と、を有するコネクタ１０に使用され、アウターハウジング１２内に挿入されてランス機構４０を解除する端子抜き治具６０であって、軸方向に伸びる治具本体６３と、治具本体６３の外周部に設けられる第１および第２ガイド溝６４，６５と、治具本体６３の先端部に設けられ、治具本体６３の中心軸Ｃ１に平行である解除ピン６６と、を有し、ランス機構４０を解除する際には、治具本体６３を先端側からアウターハウジング１２内に挿入することにより、上側および下側ガイド突起２４，２６を、第１ガイド部７１、第３ガイド部７３、第２ガイド部７２の順にスライドさせ、ランス機構４０に向かう解除ピン６６を治具本体６３の中心軸Ｃ１の周りに回転させる。【選択図】図１１
2018170108.tif 000002
【特許請求の範囲】
【請求項１】
開口部を備えるハウジングと、前記ハウジング内に保持機構によって保持される端子金具と、前記ハウジング内に設けられて前記端子金具よりも前記開口部側に位置するコネクタ側ガイドと、を有するコネクタに使用され、前記ハウジング内に挿入されて前記保持機構を解除する端子抜き治具であって、
軸方向に伸びる治具本体と、
前記治具本体の外周部に設けられる治具側ガイドと、
前記治具本体の先端部に設けられ、前記治具本体の中心軸に平行である解除ピンと、
を有し、
前記治具側ガイドは、前記治具本体の先端側に設けられる第１ガイド部と、前記第１ガイド部に対して前記治具本体の周方向にずれる第２ガイド部と、前記第１ガイド部と前記第２ガイド部とを接続する第３ガイド部と、によって構成され、
前記コネクタに使用して前記保持機構を解除する際には、前記治具本体を先端側から前記ハウジング内に挿入することにより、前記コネクタ側ガイドを、前記第１ガイド部、前記第３ガイド部、前記第２ガイド部の順にスライドさせ、前記保持機構に向かう前記解除ピンを前記治具本体の中心軸の周りに回転させる、
端子抜き治具。
【請求項２】
請求項１に記載の端子抜き治具において、
前記第２ガイド部は、前記治具本体の中心軸に平行である、
端子抜き治具。
【請求項３】
請求項１または２に記載の端子抜き治具において、
前記第１ガイド部は、前記治具本体の中心軸に平行である、
端子抜き治具。
【請求項４】
請求項１〜３のいずれか１つに記載の端子抜き治具において、
前記第１ガイド部と前記第２ガイド部とは、前記治具本体の周方向に互いに９０°ずれる、
端子抜き治具。
【請求項５】
請求項１〜４のいずれか１つに記載の端子抜き治具において、
前記治具側ガイドは、第１治具側ガイドと第２治具側ガイドとによって構成され、
前記第１治具側ガイドと前記第２治具側ガイドとは、前記治具本体の周方向に互いに１８０°ずれる、
端子抜き治具。
【請求項６】
請求項１〜５のいずれか１つに記載の端子抜き治具において、
前記解除ピンは、前記治具本体の中心軸と前記第２ガイド部の中心線とを含む仮想平面上に配置される、
端子抜き治具。
【請求項７】
請求項１〜６のいずれか１つに記載の端子抜き治具において、
前記治具側ガイドは、溝である、
端子抜き治具。
【請求項８】
コネクタ使用時には回路基板を備えた基板ユニットが挿入され、端子金具を取り外す際には第１ガイド溝および第２ガイド溝を備えた端子抜き治具が挿入されるコネクタであって、
第１平板部とこれに対向する第２平板部とを備えるハウジングと、
前記第１平板部に設けられ、前記第２平板部に向けて突出する第１突起部と、
前記第２平板部に設けられ、前記第１平板部に向けて突出する第２突起部と、
を有し、
前記第１突起部および前記第２突起部は、
前記端子抜き治具が前記ハウジング内に挿入される際に、前記第１ガイド溝および前記第２ガイド溝に係合して前記端子抜き治具を案内し、
前記基板ユニットが前記ハウジング内に挿入される際に、前記基板ユニットに押し当てられて前記基板ユニットを保持する、
コネクタ。
【請求項９】
請求項８に記載のコネクタにおいて、
前記第１突起部と前記第２突起部とは、互いに対向する、
コネクタ。
【発明の詳細な説明】
【技術分野】
【０００１】
本発明は、コネクタから端子金具を取り外すための端子抜き治具、および端子抜き治具が使用されるコネクタに関する。
【背景技術】
【０００２】
コネクタのハウジングに収容される端子金具は、ランス機構等の保持機構によって固定されることが多い（特許文献１〜３参照）。このため、ハウジングから端子金具を取り外す際には、解除ピンを備えた端子抜き治具を用いることにより、保持機構を解除することが必要である。保持機構を解除する際には、作業者によって端子抜き治具がハウジング内に挿入され、治具先端の解除ピンによって保持機構の係合突起が押し上げられる（特許文献１参照）。
【先行技術文献】
【特許文献】
【０００３】
【特許文献１】特開２００２−１１７９５４号公報
【特許文献２】特開２００２−１６４１４３号公報
【特許文献３】特開２０１４−１３７９１９号公報
【発明の概要】
【発明が解決しようとする課題】
【０００４】
ところで、コネクタの種類によっては、ハウジングの奥深くに保持機構が配置される場合がある。例えば、電子制御ユニット等が直に接続されるコネクタとして、電子制御ユニットの回路基板を端子金具で挟むカードエッジコネクタがある。このカードエッジコネクタにおいては、電子制御ユニット自体がハウジングに挿入される構造であるため、ハウジングの奥深くに端子金具や保持機構が配置される。
【０００５】
このように、ハウジングの奥深くに保持機構が収容されるコネクタにおいては、目標の係合突起に向けて解除ピンを操作することが困難であり、端子金具を取り外すことが困難となっていた。特に、ハウジング内に防水シールが組み込まれたコネクタにおいては、防水シールを避けるように解除ピンを操作する必要があるため、端子金具を取り外すことがより困難となっていた。このため、端子金具の取り外し作業を簡単にすることが求められている。
【０００６】
本発明の目的は、端子金具の取り外し作業を簡単にすることにある。
【課題を解決するための手段】
【０００７】
本発明の端子抜き治具は、開口部を備えるハウジングと、前記ハウジング内に保持機構によって保持される端子金具と、前記ハウジング内に設けられて前記端子金具よりも前記開口部側に位置するコネクタ側ガイドと、を有するコネクタに使用され、前記ハウジング内に挿入されて前記保持機構を解除する端子抜き治具であって、軸方向に伸びる治具本体と、前記治具本体の外周部に設けられる治具側ガイドと、前記治具本体の先端部に設けられ、前記治具本体の中心軸に平行である解除ピンと、を有し、前記治具側ガイドは、前記治具本体の先端側に設けられる第１ガイド部と、前記第１ガイド部に対して前記治具本体の周方向にずれる第２ガイド部と、前記第１ガイド部と前記第２ガイド部とを接続する第３ガイド部と、によって構成され、前記コネクタに使用して前記保持機構を解除する際には、前記治具本体を先端側から前記ハウジング内に挿入することにより、前記コネクタ側ガイドを、前記第１ガイド部、前記第３ガイド部、前記第２ガイド部の順にスライドさせ、前記保持機構に向かう前記解除ピンを前記治具本体の中心軸の周りに回転させる。
【０００８】
本発明のコネクタは、コネクタ使用時には回路基板を備えた基板ユニットが挿入され、端子金具を取り外す際には第１ガイド溝および第２ガイド溝を備えた端子抜き治具が挿入されるコネクタであって、第１平板部とこれに対向する第２平板部とを備えるハウジングと、前記第１平板部に設けられ、前記第２平板部に向けて突出する第１突起部と、前記第２平板部に設けられ、前記第１平板部に向けて突出する第２突起部と、を有し、前記第１突起部および前記第２突起部は、前記端子抜き治具が前記ハウジング内に挿入される際に、前記第１ガイド溝および前記第２ガイド溝に係合して前記端子抜き治具を案内し、前記基板ユニットが前記ハウジング内に挿入される際に、前記基板ユニットに押し当てられて前記基板ユニットを保持する。
【発明の効果】
【０００９】
本発明の端子抜き治具によれば、コネクタ側ガイドを、第１ガイド部、第３ガイド部、第２ガイド部の順にスライドさせ、保持機構に向かう解除ピンを治具本体の中心軸の周りに回転させる。これにより、端子金具の取り外し作業を簡単にすることができる。
【００１０】
本発明のコネクタによれば、第１突起部および第２突起部は、端子抜き治具がハウジング内に挿入される際に、第１ガイド溝および第２ガイド溝に係合して端子抜き治具を案内する。これにより、端子金具の取り外し作業を簡単にすることができる。
【図面の簡単な説明】
【００１１】
【図１】（ａ）および（ｂ）は、本発明の一実施の形態であるコネクタと、これに接続される制御ユニットとを示す斜視図である。
【図２】図１（ａ）のＡ−Ａ線に沿ってコネクタの内部構造を示す断面図である。
【図３】上側インナーハウジングおよびその近傍を示した拡大図である。
【図４】（ａ）〜（ｃ）は、上側インナーハウジングから上側端子を取り外す際の手順を示した図である。
【図５】コネクタを挿入口側から簡単に示した図である。
【図６】（ａ）は端子抜き治具を示す正面図であり、（ｂ）は端子抜き治具を示す左側面図であり、（ｃ）は端子抜き治具を示す平面図である。
【図７】端子抜き治具に設けられる一対のガイド溝を示す展開図である。
【図８】（ａ）および（ｂ）は、端子抜き治具を用いて上側端子を取り外す際の手順を示した図である。
【図９】（ａ）および（ｂ）は、端子抜き治具を用いて上側端子を取り外す際の手順を示した図である。
【図１０】端子抜き治具を用いて上側端子を取り外す際の手順を示した図である。
【図１１】（ａ）〜（ｃ）は、コネクタに対する端子抜き治具の挿入状況を簡単に示した図である。
【図１２】（ａ）は図１１（ａ）のＡ−Ａ線に沿ってコネクタと端子抜き治具の位置関係を簡単に示した図であり、（ｂ）は図１１（ｂ）のＢ−Ｂ線に沿ってコネクタと端子抜き治具の位置関係を簡単に示した図であり、（ｃ）は図１１（ｃ）のＣ−Ｃ線に沿ってコネクタと端子抜き治具の位置関係を簡単に示した図である。
【図１３】（ａ）は上側端子を取り外す際の端子抜き治具の挿入位置を示す図であり、（ｂ）は下側端子を取り外す際の端子抜き治具の挿入位置を示す図である。
【図１４】コネクタと制御ユニットとの接続状態を示す断面図である。
【図１５】端子抜き治具に形成されるガイド溝の他の例を示す展開図である。
【図１６】端子抜き治具に形成されるガイド溝の他の例を示す展開図である。
【図１７】（ａ）および（ｂ）は、本発明の他の実施の形態である端子抜き治具を示す図である。
【発明を実施するための形態】
【００１２】
［コネクタ］
以下、本発明の実施の形態を図面に基づいて詳細に説明する。図１（ａ）および（ｂ）は、本発明の一実施の形態であるコネクタ１０と、これに接続される制御ユニット（基板ユニット）１１と、を示す斜視図である。図１（ａ）には、コネクタ１０と制御ユニット１１との分離状態が示されており、図１（ｂ）には、コネクタ１０と制御ユニット１１との接続状態が示されている。
【００１３】
図１（ａ）および（ｂ）に示すように、コネクタ１０は、制御ユニット１１が収容されるアウターハウジング（ハウジング）１２を有している。コネクタ１０には複数本のワイヤーハーネス１３が接続されており、これらのワイヤーハーネス１３は、図示しない他の制御ユニット１１やセンサ等に接続されている。また、図示する制御ユニット１１は、電子部品が実装された回路基板１４を樹脂で封止した制御ユニット１１であり、トランスファモールドコントロールユニットと呼ばれている。図１（ａ）に示すように、制御ユニット１１の回路基板１４は、その一部がモールド樹脂１５から外部に露出する構造を有している。また、モールド樹脂１５から露出する回路基板１４には、後述する端子４１，４３に電気的に接続される導体部１６が形成されている。なお、端子が接触する導体部１６は、回路基板１４の両面に形成されている。
【００１４】
図示するコネクタ１０は、制御ユニット１１から突出する回路基板１４に接続されるカードエッジコネクタである。図１（ａ）に矢印αで示すように、コネクタ１０に対して制御ユニット１１を挿入することにより、制御ユニット１１側の回路基板１４とコネクタ１０側のワイヤーハーネス１３とが電気的に接続される。また、図１（ａ）に示すように、制御ユニット１１には嵌合爪１７が設けられており、コネクタ１０には嵌合穴１８が設けられている。図１（ｂ）に示すように、制御ユニット１１をコネクタ１０に挿入することにより、嵌合穴１８に嵌合爪１７を嵌め込むことができ、コネクタ１０と制御ユニット１１との接続状態を保持することができる。なお、後述する図２等の各断面図において、嵌合爪１７および嵌合穴１８は省略されている。
【００１５】
図２は図１（ａ）のＡ−Ａ線に沿ってコネクタ１０の内部構造を示す断面図である。以下の説明においては、図２に示すように、コネクタ１０の挿入口２０側を便宜的に前側と表現し、コネクタ１０のワイヤーハーネス１３側を便宜的に後側と表現している。また、以下の説明においては、図２に示すように、コネクタ１０の厚み方向の一方を便宜的に上側と表現し、コネクタ１０の厚み方向の他方を便宜的に下側と表現している。
【００１６】
図２に示すように、コネクタ１０のアウターハウジング１２は、制御ユニット１１が挿入される挿入口（開口部）２０を備えたハウジング本体２１を有している。ハウジング本体２１は、上側平板部（第１平板部）２２と、これに対向する下側平板部（第２平板部）２３と、を有している。上側平板部２２には、下側平板部２３に向けて突出する複数の上側ガイド突起（コネクタ側ガイド，第１突起部）２４が設けられており、これらの上側ガイド突起２４によってガイド突起群２５が構成されている。また、下側平板部２３には、複数の下側ガイド突起（コネクタ側ガイド，第２突起部）２６が設けられており、これらの下側ガイド突起２６によってガイド突起群２７が構成されている。アウターハウジング１２内に設けられる上側および下側ガイド突起２４，２６は、後述する上側端子４１および下側端子４３よりも挿入口２０側に位置している。
【００１７】
アウターハウジング１２のハウジング本体２１には、フロントシールホルダ３０が前後に移動自在に収容されている。フロントシールホルダ３０の前側の内周部にはシール溝３１が形成されており、フロントシールホルダ３０の後側の外周部にはシール溝３２が形成されている。内周部のシール溝３１には環状の内側シール３３が設けられており、この内側シール３３によってフロントシールホルダ３０と制御ユニット１１との隙間が密閉される。また、外周部のシール溝３２には環状の外側シール３４が設けられており、この外側シール３４によってアウターハウジング１２と制御ユニット１１との隙間が密閉される。
【００１８】
アウターハウジング１２は、ワイヤーハーネス１３が案内される貫通口３５を備えた端子保持部３６を有している。この端子保持部３６には、一対のインナーハウジング３７，３８からなる端子組立体３９が保持されている。端子組立体３９は、互いに対向する上側インナーハウジング３７と下側インナーハウジング３８とを備えている。上側インナーハウジング３７には、ランス機構（保持機構）４０によって複数の上側端子（端子金具）４１が保持されている。また、下側インナーハウジング３８には、ランス機構（保持機構）４２によって複数の下側端子（端子金具）４３が保持されている。なお、端子４１，４３に接続されるワイヤーハーネス１３は、端子保持部３６に組み込まれたリアシール４４の貫通孔４４ａから外部に案内される。また、端子保持部３６には、リアシール４４を覆うリアシールホルダ４５が取り付けられる。
【００１９】
アウターハウジング１２に収容されるフロントシールホルダ３０は、上側インナーハウジング３７の外側傾斜面４６に対向する内側傾斜面４７と、下側インナーハウジング３８の外側傾斜面４８に対向する内側傾斜面４９と、を備えている。各インナーハウジング３７，３８の外側傾斜面４６，４８、およびフロントシールホルダ３０の内側傾斜面４７，４９は、制御ユニット１１の挿入方向αに対して傾斜する傾斜面である。
【００２０】
このように、フロントシールホルダ３０やインナーハウジング３７，３８には、傾斜面４６〜４９が形成されている。このため、アウターハウジング１２に対して制御ユニット１１が挿入され、制御ユニット１１によってフロントシールホルダ３０が押し込まれると、フロントシールホルダ３０からインナーハウジング３７，３８に推力が向きを変えて伝達される。すなわち、フロントシールホルダ３０を押し込むことでインナーハウジング３７，３８を互いに近づけることができるため、制御ユニット１１を挿入する際には上側端子４１と下側端子４３との間隔を徐々に狭めることができる。これにより、コネクタ１０に制御ユニット１１が挿入されるコネクタ使用時においては、制御ユニット１１の回路基板１４に対して端子４１，４３の接点部５０が過度に擦られることはなく、回路基板１４と端子４１，４３とを良好に接続することができる。
【００２１】
なお、図示する例では、制御ユニット１１を挿入する際に、上側端子４１と下側端子４３との間隔を徐々に狭める観点から、インナーハウジング３７，３８を別個に形成し、フロントシールホルダ３０やインナーハウジング３７，３８に傾斜面４６〜４９を形成し、先端側を広げるように上側端子４１と下側端子４３とを互いに傾斜させて配置しているが、これに限られることはない。例えば、インナーハウジング３７，３８を一体に成型しても良く、フロントシールホルダ３０やインナーハウジング３７，３８から傾斜面４６〜４９を削減しても良く、上側端子４１と下側端子４３とを互いに平行に配置しても良い。
【００２２】
［ランス機構］
インナーハウジング３７，３８には、個々の端子４１，４３に対応して複数のランス機構４０，４２が設けられている。図３は上側インナーハウジング３７およびその近傍を示した拡大図である。なお、以下の説明では、上側インナーハウジング３７のランス機構４０やこれに保持される上側端子４１の構造について説明するが、これらと同様の構造を有する下側インナーハウジング３８のランス機構４２やこれに保持される下側端子４３についてはその説明を省略する。
【００２３】
図３に示すように、上側インナーハウジング３７に設けられるランス機構４０は、上側端子４１の先端に係合する先端保持部５１と、上側端子４１の係合凹部４１ａに向けて伸びる係合アーム５２と、を有している。係合アーム５２は、上側インナーハウジング３７から伸びるアーム部５２ａと、アーム部５２ａの先端に設けられて係合凹部４１ａに係合する係合突起５２ｂと、アーム部５２ａの先端に設けられる解除突起５２ｃと、を有している。このように、上側インナーハウジング３７に取り付けられた上側端子４１は、ランス機構４０の先端保持部５１および係合アーム５２によって保持されている。
【００２４】
以下、上側インナーハウジング３７から上側端子４１を取り外す際の手順について説明する。図４（ａ）〜（ｃ）は、上側インナーハウジング３７から上側端子４１を取り外す際の手順を示した図である。上側インナーハウジング３７から上側端子４１を取り外す際には、図４（ａ）に示すように、作業者によって上側インナーハウジング３７のピン挿入孔５３に解除ピン６６が挿入される。このように、ピン挿入孔５３に解除ピン６６が挿入されると、図４（ｂ）に示すように、解除ピン６６の先端が係合アーム５２の解除突起５２ｃに接触し、解除ピン６６によって係合アーム５２が上方に押し上げられる。このように、解除ピン６６によって係合アーム５２が押し上げられると、係合アーム５２の係合突起５２ｂが上側端子４１の係合凹部４１ａから外れた状態となる。そして、図４（ｃ）に示すように、解除ピン６６によって係合アーム５２を押し上げたまま、作業者が上側端子４１を矢印方向に引き抜くことにより、上側インナーハウジング３７から上側端子４１を取り外すことができる。
【００２５】
ここで、図５はコネクタ１０を挿入口２０側から簡単に示した図である。図２および図５に示すように、図示するコネクタ１０はカードエッジコネクタであることから、アウターハウジング１２の奥深くにインナーハウジング３７，３８が収容されている。また、インナーハウジング３７，３８には、個々のランス機構４０，４２に対応して複数のピン挿入孔５３が形成されている。このように、アウターハウジング１２の奥深くに多くのピン挿入孔５３が設けられることから、所望のピン挿入孔５３に解除ピン６６を挿入することは困難であった。特に、図示するアウターハウジング１２においては、ピン挿入孔５３の近傍に内側シール３３が迫り出すことから、作業者は内側シール３３を避けるように解除ピン６６を操作する必要があり、所望のピン挿入孔５３に解除ピン６６を挿入することがより困難であった。そこで、図示するコネクタ１０から端子を抜き取る際には、簡単に内側シール３３を避けつつ所望のピン挿入孔５３に解除ピン６６を挿入するため、本発明の一実施の形態である端子抜き治具６０が用いられている。
【００２６】
［端子抜き治具］
続いて、本発明の一実施の形態である端子抜き治具６０について説明する。図６（ａ）は端子抜き治具６０を示す正面図であり、図６（ｂ）は端子抜き治具６０を示す左側面図であり、図６（ｃ）は端子抜き治具６０を示す平面図である。また、図７は端子抜き治具６０に設けられる一対のガイド溝６４，６５を示す展開図である。
【００２７】
図６（ａ）〜（ｃ）に示すように、端子抜き治具６０は、軸方向に伸びる大径軸部６１および小径軸部６２からなる治具本体６３と、治具本体６３の大径軸部６１の外周部６１ａに設けられる一対のガイド溝６４，６５と、治具本体６３の小径軸部６２の先端部６２ａに設けられる解除ピン６６と、を有している。図６（ａ）〜（ｃ）に示すように、端子抜き治具６０の解除ピン６６は、治具本体６３の中心軸Ｃ１に平行に設けられている。つまり、端子抜き治具６０の解除ピン６６は、治具本体６３の中心軸Ｃ１から外れた位置に設けられている。
【００２８】
図７に示すように、治具本体６３の大径軸部６１に設けられる第１ガイド溝（治具側ガイド，第１治具側ガイド）６４と、治具本体６３の大径軸部６１に設けられる第２ガイド溝（治具側ガイド，第２治具側ガイド）６５とは、治具本体６３の周方向に互いに１８０°ずれている。また、各ガイド溝６４，６５は、治具本体６３の先端側に設けられる直線溝部（第１ガイド部）７１と、直線溝部７１に対して治具本体６３の周方向にずれる直線溝部（第２ガイド部）７２と、直線溝部７１，７２を互いに接続する接続溝部（第３ガイド部）７３と、によって構成されている。また、直線溝部７１の中心線Ｃｇ１と直線溝部７２の中心線Ｃｇ２とは、治具本体６３の周方向に互いに９０°離れている。つまり、直線溝部７１と直線溝部７２とは、治具本体６３の周方向に互いに９０°ずれている。また、図６（ａ）〜（ｃ）に示すように、直線溝部７１は治具本体６３の中心軸Ｃ１に平行に設けられており、直線溝部７２は治具本体６３の中心軸Ｃ１に平行に設けられている。さらに、図６（ａ）の拡大部分に示すように、端子抜き治具６０の解除ピン６６は、治具本体６３の中心軸Ｃ１と直線溝部７２の中心線Ｃｇ２とを含む仮想平面Ｐ１上に配置されている。
【００２９】
［端子の取り外し手順］
図８〜図１０は、端子抜き治具６０を用いて上側端子４１を取り外す際の手順を示した図である。以下、コネクタ１０から上側端子４１を取り外す際の手順について説明するが、下側端子４３についても同様の手順によってコネクタ１０から取り外すことが可能である。
【００３０】
コネクタ１０から上側端子４１を取り外す際には、図８（ａ）に示すように、アウターハウジング１２の上側ガイド突起２４に、端子抜き治具６０に形成される第１ガイド溝６４の直線溝部７１を係合させ、アウターハウジング１２の下側ガイド突起２６に、端子抜き治具６０に形成される第２ガイド溝６５の直線溝部７１を係合させる。このとき、端子抜き治具６０に設けられる解除ピン６６は、アウターハウジング１２の高さ方向のほぼ中央に配置される。そして、端子抜き治具６０を矢印Ａ１方向に押し込むことにより、端子抜き治具６０は直線溝部７１に沿って移動するため、端子抜き治具６０は、回転することなく解除ピン６６の高さ位置を維持したまま、アウターハウジング１２に挿入される。
【００３１】
図８（ｂ）に示すように、上側ガイド突起２４が第１ガイド溝６４の接続溝部７３に到達し、下側ガイド突起２６が第２ガイド溝６５の接続溝部７３に到達すると、端子抜き治具６０は矢印Ａ２方向に回転を開始する。つまり、端子抜き治具６０を矢印Ａ１方向に押し込むことにより、端子抜き治具６０は接続溝部７３に沿って移動するため、端子抜き治具６０は矢印Ａ２方向に回転しながらアウターハウジング１２に挿入される。そして、図９（ａ）に示すように、上側ガイド突起２４が第１ガイド溝６４の接続溝部７３から直線溝部７２に到達し、下側ガイド突起２６が第２ガイド溝６５の接続溝部７３から直線溝部７２に到達すると、端子抜き治具６０は挿入開始から９０°回転した状態になるため、解除ピン６６は上側インナーハウジング３７のピン挿入孔５３に対向した状態になる。
【００３２】
次いで、図９（ｂ）に示すように、端子抜き治具６０を矢印Ａ１方向に押し込むことにより、端子抜き治具６０は直線溝部７２に沿って移動するため、端子抜き治具６０が回転することはなく解除ピン６６は対向するピン挿入孔５３に挿入される。このように、ピン挿入孔５３に解除ピン６６を挿入することにより、解除ピン６６によってランス機構４０の係合アーム５２が押し上げられ、ランス機構４０は解除状態に切り替えられる。そして、図１０に示すように、解除ピン６６によって係合アーム５２を押し上げたまま、作業者が上側端子４１を矢印Ａ３方向に引き抜くことにより、上側端子４１は上側インナーハウジング３７つまりコネクタ１０から取り外される。
【００３３】
［解除ピンの移動軌跡］
続いて、コネクタ１０に挿入される解除ピン６６の移動軌跡について簡単に説明する。図１１（ａ）〜（ｃ）は、コネクタ１０に対する端子抜き治具６０の挿入状況を簡単に示した図である。また、図１２（ａ）は図１１（ａ）のＡ−Ａ線に沿ってコネクタ１０と端子抜き治具６０の位置関係を簡単に示した図であり、図１２（ｂ）は図１１（ｂ）のＢ−Ｂ線に沿ってコネクタ１０と端子抜き治具６０の位置関係を簡単に示した図であり、図１２（ｃ）は図１１（ｃ）のＣ−Ｃ線に沿ってコネクタ１０と端子抜き治具６０の位置関係を簡単に示した図である。
【００３４】
図１１（ａ）および図１２（ａ）に示すように、コネクタ１０の上側ガイド突起２４が端子抜き治具６０の直線溝部７１に係合し、コネクタ１０の下側ガイド突起２６が端子抜き治具６０の直線溝部７１に係合すると、端子抜き治具６０の解除ピン６６はコネクタ１０の厚み方向の中央に配置される。つまり、端子抜き治具６０の解除ピン６６は、コネクタ１０の内側シール３３から最も離れた位置に配置される。なお、図示する例では、左から３番目のピン挿入孔５３に解除ピン６６を挿入するため、左から３番目の上側ガイド突起２４および下側ガイド突起２６に、端子抜き治具６０のガイド溝６４，６５を係合させている。
【００３５】
図１１（ｂ）および図１２（ｂ）に示すように、コネクタ１０の上側ガイド突起２４が端子抜き治具６０の接続溝部７３に到達し、コネクタ１０の下側ガイド突起２６が端子抜き治具６０の接続溝部７３に到達すると、端子抜き治具６０は矢印Ａ２方向に回転しながら押し込まれる。つまり、端子抜き治具６０の解除ピン６６は、コネクタ１０の厚み方向の中央から目標のピン挿入孔５３に近づくように、端子抜き治具６０の中心軸Ｃ１の周りに回転する。
【００３６】
図１１（ｃ）および図１２（ｃ）に示すように、コネクタ１０の上側ガイド突起２４が端子抜き治具６０の直線溝部７２に到達し、コネクタ１０の下側ガイド突起２６が端子抜き治具６０の直線溝部７２に到達すると、端子抜き治具６０は挿入開始から９０°回転した状態になるため、解除ピン６６は上側インナーハウジング３７のピン挿入孔５３に対向する。そして、端子抜き治具６０を更に押し込むことにより、端子抜き治具６０は直線溝部７２に沿って移動するため、端子抜き治具６０の解除ピン６６は対向するピン挿入孔５３に挿入される。
【００３７】
これまで説明したように、端子抜き治具６０の先端部からコネクタ１０のアウターハウジング１２に挿入することにより、コネクタ１０の上側ガイド突起２４および下側ガイド突起２６を、直線溝部７１、接続溝部７３、直線溝部７２の順にスライドさせ、端子抜き治具６０の軸中心Ｃ１の周りに解除ピン６６を回転させることができる。これにより、解除ピン６６をコネクタ１０の厚み方向の中央からランス機構４０に向けて移動させることができ、解除ピン６６を内側シール３３に接触させることなくランス機構４０に到達させることができる。しかも、端子抜き治具６０は、第１および第２ガイド溝６４，６５に沿って移動することから、簡単に解除ピン６６を目標のランス機構４０に到達させることができる。これにより、簡単にランス機構４０を解除することができるため、上側端子４１の取り外し作業を簡単にすることができる。
【００３８】
前述の説明では、端子抜き治具６０を用いて上側端子４１を取り外しているが、これに限られることはなく、端子抜き治具６０を用いて下側端子４３を取り外すことも可能である。ここで、図１３（ａ）は上側端子４１を取り外す際の端子抜き治具６０の挿入位置を示す図であり、図１３（ｂ）は下側端子４３を取り外す際の端子抜き治具６０の挿入位置を示す図である。なお、図１３に示されるコネクタ１０と端子抜き治具６０の位置関係は、図１１（ａ）および図１２（ａ）に示される位置関係と同様の位置関係である。
【００３９】
図１３（ａ）に示すように、コネクタ１０の上側端子４１を取り外すため、上側インナーハウジング３７に形成される左から３番目のピン挿入孔５３に解除ピン６６を挿入する際には、左から３番目の上側ガイド突起２４に第１ガイド溝６４を係合させ、左から３番目の下側ガイド突起２６に第２ガイド溝６５を係合させる。これにより、端子抜き治具６０を矢印α１方向に回転させることができ、上側インナーハウジング３７のピン挿入孔５３に向けて解除ピン６６を矢印α２方向に旋回させることができる。
【００４０】
一方、図１３（ａ）に示すように、コネクタ１０の下側端子４３を取り外すため、下側インナーハウジング３８に形成される左から３番目のピン挿入孔５３に解除ピン６６を挿入する際には、左から３番目の上側ガイド突起２４に第２ガイド溝６５を係合させ、左から３番目の下側ガイド突起２６に第１ガイド溝６４を係合させる。これにより、端子抜き治具６０を矢印β１方向に回転させることができ、下側インナーハウジング３８のピン挿入孔５３に向けて解除ピン６６を矢印β２方向に旋回させることができる。
【００４１】
すなわち、コネクタ１０においては、上側ガイド突起２４と下側ガイド突起２６とが互いに対向しており、端子抜き治具６０においては、治具本体６３の周方向に第１ガイド溝６４と第２ガイド溝６５との位相が互いに１８０°ずれている。このような構造を有することから、端子抜き治具６０を上下に反転させて挿入することができ、１つの端子抜き治具６０を上側端子４１と下側端子４３との双方に対応させることができる。これにより、端子抜き治具６０の汎用性を高めることができるため、端子抜き治具６０の低コスト化を達成することができる。
【００４２】
なお、図５、図１２および図１３に示すように、アウターハウジング１２の幅方向の両側には、端子抜き治具６０を収容するための空間Ｘが設けられている。これにより、アウターハウジング１２の幅方向の端部に配置される上側端子４１や下側端子４３を取り外す場合には、アウターハウジング１２の幅方向の端部に端子抜き治具６０を挿入することができる。つまり、アウターハウジング１２の幅方向の端部に設けられる上側ガイド突起２４や下側ガイド突起２６に対して端子抜き治具６０を係合させることができ、端子抜き治具６０を回転させながらアウターハウジング１２に挿入することができる。
【００４３】
［制御ユニットの保持構造］
続いて、コネクタ１０による制御ユニット１１の保持構造について説明する。図１４はコネクタ１０と制御ユニット１１との接続状態を示す断面図である。まず、図２に示すように、コネクタ１０と制御ユニット１１とを分離した状態において、上側ガイド突起２４と下側ガイド突起２６との間隔Ｗ１は、制御ユニット１１の厚み寸法Ｗ２よりも小さく設計されている。これにより、図１４に示すように、制御ユニット１１がコネクタ１０に挿入された場合には、上側および下側ガイド突起２４，２６を制御ユニット１１に押し当てることができ、上側および下側ガイド突起２４，２６によって制御ユニット１１を適切に保持することができる。
【００４４】
なお、図１４の拡大部分Ｚで示すように、上側ガイド突起２４や下側ガイド突起２６の端部に傾斜面８０を形成しても良い。このように、上側ガイド突起２４や下側ガイド突起２６に傾斜面を形成することにより、制御ユニット１１にガイド突起２４，２６が押し当てられる構造であっても、コネクタ１０に対して制御ユニット１１をスムーズに挿入することができる。
【００４５】
［他の実施形態］
図１５は端子抜き治具に形成されるガイド溝の他の例を示す展開図である。図７に示した例では、直線溝部７１と直線溝部７２とが、治具本体６３の周方向に互いに９０°ずれているが、これに限られることはない。例えば、直線溝部７１と直線溝部７２とが、９０°よりも小さな角度で治具本体６３の周方向にずれていても良い。
【００４６】
図１５に示すように、治具本体６３の大径軸部６１には、第１ガイド溝（治具側ガイド，第１治具側ガイド）８１と、第２ガイド溝（治具側ガイド，第２治具側ガイド）８２と、が設けられている。また、各ガイド溝８１，８２は、治具本体６３の先端側に設けられる直線溝部（第１ガイド部）８３と、直線溝部８３に対して治具本体６３の周方向にずれる直線溝部（第２ガイド部）８４と、直線溝部８３，８４を互いに接続する接続溝部（第３ガイド部）８５と、によって構成されている。また、直線溝部８３の中心線Ｃｇ１と直線溝部８４の中心線Ｃｇ２とは、９０°よりも小さな角度で治具本体６３の周方向に離れている。つまり、直線溝部８３と直線溝部８４とは、９０°よりも小さな角度で治具本体６３の周方向にずれている。このように、第１および第２ガイド溝８１，８２を形成した場合であっても、前述した第１および第２ガイド溝６４，６５と同様に機能させることができる。なお、直線溝部８３と直線溝部８４とが、９０°よりも大きな角度で治具本体６３の周方向にずれていても良い。
【００４７】
また、図１６は端子抜き治具に形成されるガイド溝の他の例を示す展開図である。図７に示した例では、直線溝部７１や直線溝部７２に対して接続溝部７３が傾斜しているが、これに限られることはなく、直線溝部７１や直線溝部７２に対して接続溝部７３を直角に接続しても良い。つまり、図７に示した例では、接続溝部７３のリード角が０°よりも大きな所定角度に設定されているが、これに限られることはなく、接続溝部７３のリード角を０°に設定しても良い。
【００４８】
図１６に示すように、治具本体６３の大径軸部６１には、第１ガイド溝（治具側ガイド，第１治具側ガイド）９１と、第２ガイド溝（治具側ガイド，第２治具側ガイド）９２と、が設けられている。また、各ガイド溝９１，９２は、治具本体６３の先端側に設けられる直線溝部（第１ガイド部）９３と、直線溝部９３に対して治具本体６３の周方向にずれる直線溝部（第２ガイド部）９４と、直線溝部９３，９４を互いに接続する接続溝部（第３ガイド部）９５と、によって構成されている。また、ガイド溝９１，９２を構成する接続溝部９５は、直線溝部９３，９４に対して直角に接続されている。このように、接続溝部９５のリード角が０°に設定されるように、第１および第２ガイド溝９１，９２を形成した場合であっても、前述した第１および第２ガイド溝６４，６５と同様に機能させることができる。
【００４９】
図１７（ａ）および（ｂ）は、本発明の他の実施の形態である端子抜き治具１００を示す図である。図１７（ａ）には端子抜き治具１００の左側面図が示されており、図１７（ｂ）には端子抜き治具１００の背面図が示されている。なお、図１７において図６に示した部位や部品と同様の部位や部品については、同一の符号を付してその説明を省略する。図６に示した例では、円柱形状の大径軸部６１に対して第１および第２ガイド溝６４，６５を形成しているが、これに限られることはなく、円柱形状以外の大径軸部に対して第１および第２ガイド溝６４，６５を形成しても良い。図１７（ａ）および（ｂ）に示すように、治具本体１０１を構成する大径軸部１０２は、第１および第２ガイド溝６４，６５が形成される円柱部１０３と、円柱部１０３から基端側に伸びる板部１０４と、によって構成されている。このように、端子抜き治具１００に対して、肉抜き加工を施すことにより、端子抜き治具１００の重量を軽減することができる。
【００５０】
本発明は前記実施の形態に限定されるものではなく、その要旨を逸脱しない範囲で種々変更可能であることはいうまでもない。前述の説明では、端子抜き治具６０，１００に対して２つのガイド溝６４，６５を形成しているが、これに限られることはなく、端子抜き治具６０，１００に対して１つのガイド溝を形成しても良い。また、前述の説明では、端子抜き治具６０，１００に設けられる治具側ガイドとして、溝であるガイド溝６４，６５を形成しているが、これに限られることはなく、治具側ガイドとして凸状のガイドレールを形成しても良い。この場合には、コネクタ１０に設けられるコネクタ側ガイドとして、ガイドレールに係合する溝部が形成される。また、前述の説明では、保持機構であるランス機構４０，４２をインナーハウジング３７，３８に設けているが、これに限られることはなく、保持機構を上側端子４１や下側端子４３に設けても良い。
【００５１】
前述の説明では、各ガイド溝６４，６５，８１，８２，９１，９２を構成する第１ガイド部として、直線状に伸びる直線溝部７１，８３，９３を例示しているが、これに限られることはなく、第１ガイド部として曲線状に伸びる溝部を採用しても良い。また、前述の説明では、各ガイド溝６４，６５，８１，８２，９１，９２を構成する第３ガイド部として、直線状に伸びる接続溝部７３，８５，９５を例示しているが、これに限られることはなく、第３ガイド部として曲線状の溝部を採用しても良い。
【００５２】
図示する例では、治具本体６３，１０１を大径軸部６１，１０２と小径軸部６２とによって構成しているが、これに限られることはなく、治具本体６３，１０１を大径軸部６１，１０２だけで構成しても良い。また、前述の説明では、端子抜き治具６０，１００を使用するコネクタ１０として、カードエッジコネクタを例示しているが、これに限られることはなく、他の形式のコネクタに端子抜き治具６０，１００を使用しても良い。また、端子抜き治具６０，１００を使用するコネクタ１０として、内側シール３３を備えた防水型のコネクタを例示しているが、これに限られることはなく、内側シール３３を持たないコネクタに端子抜き治具６０，１００を使用しても良い。
【符号の説明】
【００５３】
１０    コネクタ
１１    制御ユニット（基板ユニット）
１２    アウターハウジング（ハウジング）
１４    回路基板
２０    挿入口（開口部）
２２    上側平板部（第１平板部）
２３    下側平板部（第２平板部）
２４    上側ガイド突起（コネクタ側ガイド，第１突起部）
２６    下側ガイド突起（コネクタ側ガイド，第２突起部）
４０    ランス機構（保持機構）
４１    上側端子（端子金具）
４２    ランス機構（保持機構）
４３    下側端子（端子金具）
６０    端子抜き治具
６３    治具本体
６４    第１ガイド溝（治具側ガイド，第１治具側ガイド）
６５    第２ガイド溝（治具側ガイド，第２治具側ガイド）
６６    解除ピン
７１    直線溝部（第１ガイド部）
７２    直線溝部（第２ガイド部）
７３    接続溝部（第３ガイド部）
８１    第１ガイド溝（治具側ガイド，第１治具側ガイド）
８２    第２ガイド溝（治具側ガイド，第２治具側ガイド）
８３    直線溝部（第１ガイド部）
８４    直線溝部（第２ガイド部）
８５    接続溝部（第３ガイド部）
９１    第１ガイド溝（治具側ガイド，第１治具側ガイド）
９２    第２ガイド溝（治具側ガイド，第２治具側ガイド）
９３    直線溝部（第１ガイド部）
９４    直線溝部（第２ガイド部）
９５    接続溝部（第３ガイド部）
１００    端子抜き治具
１０１    治具本体
Ｃ１    中心軸
Ｃｇ２  中心線
Ｐ１    仮想平面
【図１】
2018170108.tif 000003
【図２】
2018170108.tif 000004
【図３】
2018170108.tif 000005
【図４】
2018170108.tif 000006
【図５】
2018170108.tif 000007
【図６】
2018170108.tif 000008
【図７】
2018170108.tif 000009
【図８】
2018170108.tif 000010
【図９】
2018170108.tif 000011
【図１０】
2018170108.tif 000012
【図１１】
2018170108.tif 000013
【図１２】
2018170108.tif 000014
【図１３】
2018170108.tif 000015
【図１４】
2018170108.tif 000016
【図１５】
2018170108.tif 000017
【図１６】
2018170108.tif 000018
【図１７】
2018170108.tif 000019